【手続補正書】
【提出日】平成18年3月7日(2006.3.7)
【手続補正１】
【補正対象書類名】明細書
【補正対象項目名】特許請求の範囲
【補正方法】変更
【補正の内容】
【特許請求の範囲】
【請求項１】  コンテンツを格納するコンテンツ格納部と、前記コンテンツの画面配置が記述された画面構成情報を格納する画面構成情報格納部と、前記コンテンツおよび複数の前記画面構成情報が記述された番組構成情報を格納する番組構成情報格納部と、前記番組構成情報を抽出し、抽出した前記番組構成情報に記述された前記コンテンツおよび前記複数の画面構成情報を検出し、検出した前記コンテンツおよび複数の画面構成情報を抽出する制御部と、抽出した前記コンテンツおよび複数の画面構成情報と前記番組構成情報とを送信する送信部と、を具備し、
前記複数の画面構成情報からひとつの前記画面構成情報を選択するための選択条件を送信することを特徴とする送信装置。
【請求項２】  前記選択条件は、前記番組構成情報に記載されていることを特徴とする請求項１記載の送信装置。
【請求項３】  前記選択条件は、前記画面構成情報に記載されていることを特徴とする請求項１記載の送信装置。
【請求項４】  前記複数の画面構成情報が、基準となる画面構成情報と、前記基準となる画面構成情報との差分である差分画面構成情報とを含むことを特徴とする請求項１から請求項３のいずれかに記載の送信装置。
【請求項５】  前記選択条件は、伝送帯域、送信先の端末の種類、送信先の端末の処理能力の少なくとも１つであることを特徴とする請求項１から請求項４のいずれかに記載の送信装置。
【請求項６】  前記選択条件は、優先度情報であることを特徴とする請求項１から請求項４のいずれかに記載の送信装置。
【請求項７】  コンテンツを格納するコンテンツ格納部と、前記コンテンツの画面配置が記述された画面構成情報を格納する画面構成情報格納部と、前記コンテンツ、前記画面構成情報、および選択条件とが記述された番組構成情報を格納する番組構成情報格納部と、複数の前記番組構成情報を抽出し、抽出した前記複数の番組構成情報に記述された前記コンテンツおよび前記画面構成情報を検出し、検出した前記コンテンツおよび画面構成情報を抽出する制御部と、抽出した前記複数の番組構成情報と前記コンテンツおよび画面構成情報とを送信する送信部と、を具備したことを特徴とする送信装置。
【請求項８】  前記複数の番組構成情報が、基準の前記番組構成情報と、前記基準の番組構成情報との差分である差分番組構成情報とを含むことを特徴とする請求項７に記載の送信装置。
【請求項９】  前記選択条件は、伝送帯域、送信先の端末の種類、送信先の端末の処理能力の少なくとも１つであることを特徴とする請求項７または請求項８記載の送信装置。
【請求項１０】  前記選択条件は、優先度情報であることを特徴とする請求項７または請求項８記載の送信装置。
【請求項１１】  番組を構成する複数の番組構成情報と、前記複数の番組構成情報にそれぞれ対応する伝送帯域情報と、前記番組構成情報に関連付けられたコンテンツと、を送信する送信部を具備することを特徴とする送信装置。
【請求項１２】  前記伝送帯域情報は、前記番組構成情報に記載されていることを特徴とする請求項１１記載の送信装置。
【請求項１３】  コンテンツと、前記コンテンツの画面配置が記述された画面構成情報と、前記コンテンツおよび複数の前記画面構成情報が記述された番組情報と、前記複数の画面構成情報からひとつの前記画面構成情報を選択するための選択条件とを、受信する受信部と、前記選択条件に基づき前記複数の画面構成情報からひとつの前記画面構成情報を選択する画面構成情報選択部と、選択した前記画面構成情報と前記選択した画面構成情報を構成する前記コンテンツとから画面を生成する画面生成部と、生成した前記画面を表示する表示部と、を具備したことを特徴とする受信装置。
【請求項１４】  受信した前記複数の画面構成情報は、基準の前記画面構成情報と前記基準の画面構成情報との差分である差分画面構成情報とを含み、前記画面生成部は、前記差分画面構成情報が選択された場合に、前記基準の画面構成情報と前記差分画面構成情報とから新たに前記画面構成情報を生成し、生成した前記画面構成情報と前記生成した画面構成情報を構成する前記コンテンツとから画面を生成することを特徴とする請求項１３記載の受信装置。
【請求項１５】  前記選択条件は、伝送帯域、端末の種類、端末の処理能力の少なくとも１つであることを特徴とする請求項１３または請求項１４に記載の受信装置。
【請求項１６】  前記選択条件は、優先度情報であることを特徴とする請求項１３または請求項１４に記載の受信装置。
【請求項１７】  コンテンツと、前記コンテンツの画面配置が記述された画面構成情報と、前記コンテンツ、前記画面構成情報、および選択条件とが記述された複数の番組構成情報を受信する受信部と、前記複数の番組構成情報に記述された前記選択条件に基づき前記複数の番組構成情報からひとつの前記番組構成情報を選択する番組構成情報選択部と、選択した前記番組構成情報を構成する前記コンテンツおよび前記画面構成情報とから画面を生成する番組生成部と、生成した前記画面を表示する表示部と、を具備したことを特徴とする受信装置。
【請求項１８】  受信した前記複数の番組構成情報は、基準の前記番組構成情報と前記基準の番組構成情報との差分である差分番組構成情報とを含み、前記番組生成部は、前記差分番組構成情報が選択された場合に、前記基準の番組構成情報と前記差分番組構成情報とから新たに前記番組構成情報を生成し、生成した前記番組構成情報と前記生成した番組構成情報を構成する前記コンテンツおよび前記画面構成情報とから画面を生成することを特徴とする請求項１７記載の受信装置。
【請求項１９】  前記選択条件は、伝送帯域、端末の種類、端末の処理能力の少なくとも１つであることを特徴とする請求項１７または請求項１８に記載の受信装置。
【請求項２０】  前記選択条件は、優先度情報であることを特徴とする請求項１７または請求項１８に記載の受信装置。
【請求項２１】  番組を構成する複数の番組構成情報と、前記複数の番組構成情報にそれぞれ対応する伝送帯域情報と、前記番組構成情報に関連付けられたコンテンツと、を受信する受信部と、
前記伝送帯域情報に基づき、前記複数の番組構成情報から一つの番組構成情報を選択する番組構成情報生成部と、
前記番組構成情報が生成した番組構成情報に関連付けられたコンテンツを出力する出力部と、を具備することを特徴とする受信装置。
【請求項２２】  前記伝送帯域情報は、前記番組構成情報に記載されていることを特徴とする請求項２１記載の受信装置。
【請求項２３】  請求項１記載の送信装置と、請求項１３記載の受信装置と、を具備したことを特徴とするデータ送受信システム。
【請求項２４】  請求項７記載の送信装置と、請求項１７記載の受信装置と、を具備したことを特徴とするデータ送受信システム。
【請求項２５】  コンテンツを送信するステップと、前記コンテンツの画面配置を記述した複数の画面構成情報を送信するステップと、前記複数の画面構成情報からひとつの画面構成情報を選択するための画面構成情報選択条件を送信するステップと、を具備したことを特徴とする送信方法。
【請求項２６】  コンテンツを送信するステップと、前記コンテンツの画面配置を記述した画面構成情報を送信するステップと、前記コンテンツと前記画面構成情報との組み合わせを記述した複数の番組構成情報を送信するステップと、前記複数の番組構成情報からひとつの番組構成情報を選択するための番組構成情報選択条件を送信するステップと、を具備したことを特徴とする送信方法。
【請求項２７】  コンテンツを受信するステップと、前記コンテンツの画面配置を記述した複数の画面構成情報を受信するステップと、前記複数の画面構成情報からひとつの画面構成情報を選択するための画面構成情報選択条件を受信するステップと、前記画面構成情報選択条件に基づきひとつの前記画面構成情報を選択するステップと、選択した前記画面構成情報と前記選択した画面構成情報を構成する前記コンテンツとから画面を生成するステップと、生成した前記画面を表示するステップと、を具備したことを特徴とするコンテンツ閲覧方法。
【請求項２８】  コンテンツを受信するステップと、前記コンテンツの画面配置を記述した画面構成情報を受信するステップと、前記コンテンツと前記画面構成情報を記述した複数の番組構成情報を受信するステップと、前記複数の番組構成情報からひとつの番組構成情報を選択するための番組構成情報選択条件を受信するステップと、前記番組構成情報選択条件に基づきひとつの前記番組構成情報を選択するステップと、選択した前記番組構成情報を構成する前記コンテンツおよび前記画面構成情報とから画面を生成するステップと、生成した画面を表示するステップと、を具備したことを特徴とするコンテンツ閲覧方法。
【請求項２９】  送信側が、コンテンツを送信するステップと、前記コンテンツの画面配置を記述した複数の画面構成情報を送信するステップと、前記複数の画面構成情報からひとつの画面構成情報を選択するための画面構成情報選択条件を送信するステップと、を具備し、
受信側が、前記コンテンツを受信するステップと、前記複数の画面構成情報を受信するステップと、前記画面構成情報選択条件を受信するステップと、前記画面構成情報選択条件に基づきひとつの前記画面構成情報を選択するステップと、選択した前記画面構成情報を構成する前記コンテンツとから画面を生成するステップと、生成した前記画面を表示するステップと、を具備したことを特徴とするコンテンツ閲覧方法。
【請求項３０】  送信側が、コンテンツを送信するステップと、前記コンテンツの画面配置を記述した画面構成情報を送信するステップと、前記コンテンツと前記画面構成情報との組み合わせを記述した複数の番組構成情報を送信するステップと、前記複数の番組構成情報からひとつの番組構成情報を選択するための番組構成情報選択条件を送信するステップと、を具備し、
受信側が、前記コンテンツを受信するステップと、前記画面構成情報を受信するステップと、前記複数の番組構成情報を受信するステップと、前記番組構成情報選択条件を受信するステップと、前記番組構成情報選択条件に基づきひとつの前記番組構成情報を選択するステップと、選択した前記番組構成情報を構成する前記コンテンツおよび前記画面構成情報とから画面を生成するステップと、生成した画面を表示するステップと、を具備したことを特徴とするコンテンツ閲覧方法。
【請求項３１】  コンピュータに、コンテンツを送信するステップと、前記コンテンツの画面配置を記述した複数の画面構成情報を送信するステップと、前記複数の画面構成情報からひとつの画面構成情報を選択する画面構成情報選択条件を送信するステップと、を行わせることを特徴としたプログラム。
【請求項３２】  コンピュータに、コンテンツを送信するステップと、前記コンテンツの画面配置を記述した画面構成情報を送信するステップと、前記コンテンツと前記画面構成情報との組み合わせを記述した複数の番組構成情報を送信するステップと、前記複数の番組構成情報からひとつの番組構成情報を選択する番組構成情報選択条件を送信するステップと、を行わせることを特徴としたプログラム。
【請求項３３】  コンピュータに、コンテンツを受信するステップと、前記コンテンツの画面配置を記述した複数の画面構成情報を受信するステップと、前記複数の画面構成情報からひとつの画面構成情報を選択するための画面構成情報選択条件を受信するステップと、前記画面構成情報選択条件に基づきひとつの前記画面構成情報を選択するステップと、選択した前記画面構成情報を構成する前記コンテンツとから画面を生成するステップと、生成した前記画面を表示するステップと、を行わせることを特徴としたプログラム。
【請求項３４】  コンピュータに、コンテンツを受信するステップと、前記コンテンツの画面配置を記述した画面構成情報を受信するステップと、前記コンテンツと前記画面構成情報を記述した複数の番組構成情報を受信するステップと、前記複数の番組構成情報からひとつの番組構成情報を選択するための番組構成情報選択条件を受信するステップと、前記番組構成情報選択条件に基づきひとつの前記番組構成情報を選択するステップと、選択した前記番組構成情報を構成する前記コンテンツおよび前記画面構成情報とから画面を生成するステップと、生成した画面を表示するステップと、を行わせることを特徴としたプログラム。
【請求項３５】  請求項３１から請求項３４のいずれかに記載のプログラムを格納した記憶媒体。